(57)【要約】【課題】      本発明は、リモコン模型の擬似音発生装置を提供する。【解決手段】  主として、信号受信回線３０と中央処理装置３１、音声チップ３２、小信号増幅回線３３、ステレオ雌型端子３４、電池セット３５からなり、外部のリモコンランチャー１からリモコン模型に対して信号を発信すると、それと同時に信号受信回線３０もリモコンランチャー１が発信した信号を受信し、受信した信号を中央処理装置３１へ転送し、中央処理装置３１により対応する擬似音声を識別してから、音声チップ３２により前もって録音した音声信号を送信し、また、小信号増幅回線３３により増幅処理を行い、最後に、ステレオ雌型端子３４に連接されたイヤホン４やスピーカ５により音声信号を放送して、例えば、リモコン模型車や、リモコン模型船、リモコン模型ヘリコプター、リモコン模型飛行機、或いはリモコン可能な模型の加速やブレーキ掛け等の音声効果である擬似音声を発生できる。【選択図】図３
2008154908.tif 000002
【特許請求の範囲】
【請求項１】
リモコンランチャーの信号を受信する信号受信回線と、
信号受信回線に連接され、対応する擬似音声を識別する中央処理装置と、
中央処理装置に連接され、中央処理装置により擬似音声が識別された後、前もって録音した音声信号を送信する音声チップと、
音声チップに連接され、音声チップが送信した音声信号を増幅処理する小信号増幅回線と、
小信号増幅回線に連接され、サウンド出力端子であるステレオ雌型端子と、
信号受信回線と中央処理装置、音声チップ、及び小信号増幅回線に給電する電池セットと、が含有されることを特徴とするリモコン模型の擬似音発生装置。
【請求項２】
リモコンランチャーは、信号受信回線とリモコン模型とに対して同時に信号を発信でき、リモコン模型は、リモコン模型車や、リモコン模型船、リモコン模型ヘリコプター、リモコン模型飛行機、或いはリモコン可能の模型であり、ステレオ雌型端子に、イヤホンやスピーカが連接されて、音声を発生することができるようにしたことを特徴とする請求項１に記載のリモコン模型の擬似音発生装置。
【請求項３】
信号受信回線は、交換可能のインサータモジュールで、ＦＭチャンネルや、ＡＭチャンネル、ＲＦチャンネル、及びＧＳＭチャンネルのモジュール化インサータに交換可能であり、音声チップは、交換可能の擬似音声のインサータモジュールで、レーシングカー擬似音や、ヘリコプタ擬似音、船擬似音、及び飛行機擬似音のモジュール化インサータに交換可能であることを特徴とする請求項１に記載のリモコン模型の擬似音発生装置。
【発明の詳細な説明】
【技術分野】
【０００１】
本発明は、リモコン模型の擬似音発生装置に関し、特に、信号受信回線と中央処理装置、音声チップ、小信号増幅回線、ステレオ雌型端子、及び電池セットからなり、外部のリモコンランチャーがリモコン模型に対して信号を発信した時、それと同時に、信号受信回線もリモコンランチャーが発信した信号を受信し、受信した信号を中央処理装置へ転送し、中央処理装置により対応する擬似音声を識別してから、音声チップに前もって録音した音声信号を送信し、そして、小信号増幅回線により増幅処理を行い、最後に、ステレオ雌型端子に連接されたイヤホンやスピーカにより、音声信号を放送して、例えば、リモコン模型車や、リモコン模型船、リモコン模型ヘリコプター、リモコン模型飛行機、或いはリモコン模型の加速やブレーキ掛け等の音声効果である擬似音声を発生できるものに関する。
【背景技術】
【０００２】
既存のリモコン模型（例えば、リモコン模型車や、リモコン模型船、リモコン模型ヘリコプター、リモコン模型飛行機、或いはリモコン可能の模型である）は、図１のように、主として、リモコンランチャー１が発信した信号をリモコン模型２により受信することにより、リモコン模型２の加速や、前進，後退、そして左，右折等を遠隔制御し、これにより、無線でリモコン模型２を遠隔制御することが楽しめるが、擬似音声の発生効果がないため、物足りなさを感じている。
そのため、本発明者は、従来のリモコン模型の上記の欠点を解消するため、慎重に研究開発して、本発明を提案したものである。
【発明の開示】
【発明が解決しようとする課題】
【０００３】
本発明の主な目的は、遠隔操縦による模型（以下リモコン模型という。）車や、リモコン模型船、リモコン模型ヘリコプター、リモコン模型飛行機、或いはリモコン可能な模型の加速やブレーキ掛け等の音声発生効果を模擬できるリモコン模型の擬似音発生装置を提供する。
【課題を解決するための手段】
【０００４】
本発明の請求項１に係るリモコン模型の擬似音発生装置は、リモコンランチャーの信号を受信する信号受信回線と、信号受信回線に連接され、対応する擬似音声を識別する中央処理装置と、中央処理装置に連接され、中央処理装置により擬似音声が識別された後、前もって録音した音声信号を送信する音声チップと、音声チップに連接され、音声チップが送信した音声信号を増幅処理する小信号増幅回線と、小信号増幅回線に連接され、サウンド出力端子であるステレオ雌型端子と、信号受信回線と中央処理装置、音声チップ、及び小信号増幅回線に給電する電池セットとからなることを特徴とする。
【０００５】
請求項２の発明は、請求項１に係るリモコン模型の擬似音発生装置において、リモコンランチャーは、信号受信回線とリモコン模型とに対して同時に信号を発信でき、リモコン模型は、リモコン模型車や、リモコン模型船、リモコン模型ヘリコプター、リモコン模型飛行機、或いはリモコン可能の模型であり、ステレオ雌型端子に、イヤホンやスピーカが連接されて、音声を発生することができるようにしたことを特徴とする。
【０００６】
請求項３の発明は、請求項１に係るリモコン模型の擬似音発生装置において、信号受信回線は、交換可能のインサータモジュールで、ＦＭチャンネルやＡＭチャンネル、ＲＦチャンネル及びＧＳＭチャンネルのモジュール化インサータに交換可能であり、音声チップは、交換可能の擬似音声のインサータモジュールで、レーシングカー擬似音やヘリコプター擬似音、船擬似音及び飛行機擬似音のモジュール化インサータに交換可能であることを特徴とする。
【発明の効果】
【０００７】
本発明は、リモコンランチャーの信号を受信する信号受信回線と、信号受信回線に連接され、対応する擬似音声を識別する中央処理装置と、中央処理装置に連接され、中央処理装置により擬似音声が識別された後、前もって録音した音声信号を送信する音声チップと、音声チップに連接され、音声チップが送信した音声信号を増幅処理する小信号増幅回線と、小信号増幅回線に連接され、サウンド出力端子であるステレオ雌型端子と、信号受信回線と中央処理装置、音声チップ、及び小信号増幅回線に給電する電池セットを備えた構成としたので、リモコン模型車や、リモコン模型船、リモコン模型ヘリコプター、リモコン模型飛行機、或いはリモコン可能な模型の加速やブレーキ掛け等の作動音声を実際の作動音に似せた擬似音を発生させることができる。
【発明を実施するための最良の形態】
【０００８】
以下この発明の実施するための最良の形態について、図面と共に実施例を説明する。
【実施例】
【０００９】
図２及び図３は、本発明のリモコン模型の擬似音発生装置の一実施例を示す擬似音発生装置回路ブロック図、並びに使用状態を示すブロック図である。
【００１０】
図中、３は、リモコン模型２（例えば、リモコン模型車やリモコン模型船、リモコン模型ヘリコプター、リモコン模型飛行機、或いはリモコン可能の模型）に使用するための擬似音発生装置で、この擬似音発生装置３は無線式ポケット型装置であり、リモコンランチャー１の信号を受信する信号受信回線３０が設けられ、該信号受信回線３０は、交換可能のインサータモジュールで、ＦＭチャンネルや、ＡＭチャンネル、ＲＦチャンネル、及びＧＳＭチャンネルのモジュール化インサータに交換可能である。
【００１１】
中央処理装置３１は、前記信号受信回線３０に連接され、対応する擬似音声を識別し、また、該中央処理装置３１は、自己でプログラムを書くことにより自動的に判断学習することができる。
【００１２】
音声チップ３２は前記中央処理装置３１に連接され、該中央処理装置３１により擬似音声が識別された後、前もって録音した音声信号を送信する。音声チップ３２は、交換可能の擬似音声のインサータモジュールで、レーシングカー擬似音や模型ヘリコプ擬似音、船擬似音及び飛行機擬似音のモジュール化インサータに交換可能である。
【００１３】
小信号増幅回線３３は前記音声チップ３２に連接され、該音声チップ３２が送信した音声信号を増幅処理する。
ステレオ雌型端子３４は、前記小信号増幅回線３３に連接された擬似音出力端子であり、前記ステレオ雌型端子３４にイヤホン４やスピーカ５が連接されて、擬似音を発生する。
電池セット３５は、信号受信回線３０と、中央処理装置３１、音声チップ３２、及び小信号増幅回線３３に給電する。
【００１４】
使用する場合には、図３に示すように、まず、外部のリモコンランチャー１からリモコン模型２に対して信号を発信すると、それと同時に、信号受信回線３０もリモコンランチャー１の発信した信号を受信する。
【００１５】
そして、受信した信号を中央処理装置３１へ転送し、中央処理装置３１によりその受信信号に対応する擬似音声を識別してから、音声チップ３２により前もって録音した対応音声信号を送信し、そして小信号増幅回線３３により増幅処理を行い、最後に、ステレオ雌型端子３４に連接されたイヤホン４やスピーカ５により、例えば、リモコン模型車やリモコン模型船、リモコン模型ヘリコプター、リモコン模型飛行機、或いはリモコン可能な模型の加速やブレーキ掛け等の実際の作動音に似せた音声信号を発生して、作動音の擬似音を発生させることができる。
【００１６】
本発明では好ましい実施例を前述の通り開示したが、これらは決して本発明を限定するものではなく、当該技術を熟知する者なら誰でも、本考案の精神と領域を脱しない範囲内において各種の修正や変更を加えることができ、従って、本発明の保護範囲は特許請求の範囲で指定した内容によってのみ限定されるものでありる。
【図面の簡単な説明】
【００１７】
【図１】本発明の従来技術を説明する使用概念図。
【図２】本発明のリモコン模型の擬似音発生装置の一実施例を示す回路ブロック図。
【図３】本発明のリモコン模型の擬似音発生装置の一実施例を示す使用概念図。
【符号の説明】
【００１８】
１        リモコンランチャー
２        リモコン模型
３        擬似音発生装置
３０      信号受信回線
３１      中央処理装置
３２      音声チップ
３３      小信号増幅回線
３４      ステレオ雌型端子
４        イヤホン
５        スピーカ
【図１】
2008154908.tif 000003
【図２】
2008154908.tif 000004
【図３】
2008154908.tif 000005